(57)【要約】【課題】路面に敷設されたとき、弱視者が歩道の方向や曲がり角を容易に認識することができ、かつ敷設の設計や作業等が容易になる視覚障害者誘導用ブロックおよびその製造方法を提供する。【解決手段】四角形の表面１０１に線状または点状の突起１２２が形成され、路面に敷設される視覚障害者誘導用ブロック１００であって、表面の少なくとも一辺に、一面を外部に露出して埋設された端部材１３０を備え、表面１０１の中央部と端部材１３０の露出面１３１との輝度比が１．５以上である。これにより、路面に敷設されたとき、弱視者は歩道の方向や曲がり角を容易に認識することができる。また、単一の視覚障害者誘導用ブロック１００に周囲との表面の輝度比が１．５以上となる端部材１３０が埋設されているため、敷設の設計や作業が容易になる。【選択図】図１
2010236256.tif 000002
【特許請求の範囲】
【請求項１】
四角形の表面に線状または点状の突起が形成され、路面に敷設される視覚障害者誘導用ブロックであって、
前記表面の少なくとも一辺に、一面を外部に露出して埋設された端部材を備え、
前記表面の中央部と前記端部材の露出面との輝度比が１．５以上であることを特徴としている視覚障害者誘導用ブロック。
【請求項２】
前記端部材は、前記表面の対向する二辺のそれぞれに埋設されていることを特徴としている請求項１記載の視覚障害者誘導用ブロック。
【請求項３】
前記端部材はモルタルからなり、モルタルまたはコンクリートからなる本体部分と一体に接合されていることを特徴とする請求項１または請求項２記載の視覚障害者誘導用ブロック。
【請求項４】
前記端部材は、前記露出面の裏面または本体側の側面に、凹凸が形成されていることを特徴とする請求項１または請求項２記載の視覚障害者誘導用ブロック。
【請求項５】
四角形の表面に線状または点状の突起が形成され、路面に敷設される視覚障害者誘導用ブロックの製造方法であって、
型枠の底端部に端部材を設置する工程と、
前記端部材に対して輝度比１．５以上に着色されたモルタルを流し込んだ後、モルタルまたはコンクリートを充填する工程と、
前記型枠内に充填されたモルタルまたはコンクリートをプレスする工程と、を含むことを特徴とする裏打ちによる視覚障害者誘導用ブロックの製造方法。
【発明の詳細な説明】
【技術分野】
【０００１】
本発明は、四角形の表面に線状または点状の突起が形成され、路面に敷設される視覚障害者誘導用ブロックおよびその製造方法に関する。
【背景技術】
【０００２】
視覚障害者誘導用ブロックは、視覚障害者が歩行する際に、主に杖および足の裏の触感覚でその存在および大まかな形状を確認できるような突起を表面につけたブロックであり、道路および沿道に関してある程度の情報を与えて道路を歩行中の視覚障害者に、より正確な歩行位置と歩行方向を案内するための施設である。特に弱視者に対しては、表面の突起だけでなく、輝度の違いによってブロックの存在を示すように設計がなされている。
【０００３】
たとえば、視覚障害者誘導用コンクリートブロックと周りの舗装との輝度比は、２以上（少なくとも１．５以上）であることが基準として求められる場合が多い。このように、輝度の差を利用して目の不自由な人が容易に確認でき、安全かつ確実に到達できるよう連続誘導の必要な場所には誘導表示を行い、曲がり角ではその状況を知らせている（たとえば、非特許文献１参照）。
【先行技術文献】
【非特許文献】
【０００４】
【非特許文献１】「インターロッキングブロック舗装  輝度比とＩＬブロックの色調の選択」、ＪＩＰＥＡ社団法人インターロッキングブロック舗装技術協会、
【発明の概要】
【発明が解決しようとする課題】
【０００５】
上記のような舗装において、視覚障害者誘導用ブロックとその周囲のブロックとの色彩の組み合わせは必ずしも決まっているわけではなく、場所ごとの状況なども考慮されて決定がなされる。しかしながら、視覚障害者誘導用コンクリートブロックの色彩と周囲の舗装の色彩との組み合わせを選択し、設計通りにブロックを敷設するのは、設計、発注または現場作業上の負担である。すなわち、健常者にとっては、視覚障害者誘導用コンクリートブロックの色彩と周囲の舗装の色彩との輝度比が小さい方が違和感がなく、弱視者にとっての視認性と健常者の嗜好との両立を図るために、視覚障害者誘導用コンクリートブロックに隣接する部分にだけ輝度比の大きなブロックを設置するような設計がなされているが、そのための現場作業等の負担は大きい。
【０００６】
本発明は、このような事情に鑑みてなされたものであり、路面に敷設されたとき、弱視者が歩道の方向や曲がり角を容易に認識することができ、かつ敷設の設計や作業等が容易になる視覚障害者誘導用ブロックおよびその製造方法を提供することを目的とする。
【課題を解決するための手段】
【０００７】
（１）上記の目的を達成するため、本発明の視覚障害者誘導用ブロックは、四角形の表面に線状または点状の突起が形成され、路面に敷設される視覚障害者誘導用ブロックであって、前記表面の少なくとも一辺に、一面を外部に露出して埋設された端部材を備え、前記表面の中央部と前記端部材の露出面との輝度比が１．５以上であることを特徴としている。
【０００８】
このように本発明の視覚障害者誘導用ブロックは、表面中央部と端部との輝度比が１．５以上であるため、路面に敷設されたとき、弱視者は歩道の方向や曲がり角を容易に認識することができる。また、単一の視覚障害者誘導用ブロックに周囲との表面の輝度比が１．５以上となる端部材が埋設されているため、敷設の設計や作業が容易になる。
【０００９】
（２）また、本発明の視覚障害者誘導用ブロックは、前記端部材は、前記表面の対向する二辺のそれぞれに埋設されていることを特徴としている。たとえば誘導方向と端部材が設けられた二辺を平行にして敷設することで、弱視者の誘導に有効である。
【００１０】
（３）また、本発明の視覚障害者誘導用ブロックは、前記端部材はモルタルからなり、モルタルまたはコンクリートからなる本体部分と一体に接合されていることを特徴としている。これにより、端部材の本体部に対する付着性が向上し、端部材の脱落等を防止できる。
【００１１】
（４）また、本発明の視覚障害者誘導用ブロックは、前記端部材は、前記露出面の裏面または本体側の側面に、凹凸が形成されていることを特徴としている。これにより、プラスチック製、金属製、樹脂製、ガラス製等、モルタルやコンクリート製でない端部材を用いる場合でも、凹凸により十分な付着性を得ることができる。
【００１２】
（５）また、本発明の視覚障害者誘導用ブロックの製造方法は、四角形の表面に線状または点状の突起が形成され、路面に敷設される視覚障害者誘導用ブロックの製造方法であって、型枠の底端部に端部材を設置する工程と、前記端部材に対して輝度比１．５以上に着色されたモルタルを流し込んだ後、モルタルまたはコンクリートを充填する工程と、前記型枠内に充填されたコンクリートまたはモルタルをプレスする工程と、を含むことを特徴としている。
【００１３】
このように本発明の視覚障害者誘導用ブロックの製造方法は、端部材を底に設置して表層モルタルを流し込む裏打ちにより行う。したがって、容易に表面に端部材の露出面を形成することができる。その結果、敷設したときに弱視者が歩道の方向や曲がり角を容易に認識できる視覚障害者誘導用ブロックを製造することができる。また、敷設の設計や作業を容易にする視覚障害者誘導用ブロックを製造することができる。
【発明の効果】
【００１４】
本発明によれば、弱視者による歩道の方向や曲がり角の認識を容易にすることができる。また、単一のブロックに表面の輝度比が１．５以上となる端部材が埋設されているため、敷設の設計や作業を容易にすることができる。
【図面の簡単な説明】
【００１５】
【図１】実施形態１に係る視覚障害者誘導用ブロックの斜視図である。
【図２Ａ】実施形態１に係る視覚障害者誘導用ブロックの平面図である。
【図２Ｂ】実施形態１に係る視覚障害者誘導用ブロックの側面図である。
【図３Ａ】実施形態１に係る視覚障害者誘導用ブロックの製造工程における一場面を示す図である。
【図３Ｂ】実施形態１に係る視覚障害者誘導用ブロックの製造工程における一場面を示す図である。
【図４】実施形態１に係る視覚障害者誘導用ブロックの平面図である。
【図５Ａ】実施形態２に係る端部材の斜視図である。
【図５Ｂ】実施形態２に係る端部材の斜視図である。
【図５Ｃ】実施形態２に係る端部材の斜視図である。
【図５Ｄ】実施形態２に係る端部材の斜視図である。
【図６Ａ】実施形態３に係る視覚障害者誘導用ブロックの平面図である。
【図６Ｂ】実施形態３に係る視覚障害者誘導用ブロックの平面図である。
【図６Ｃ】実施形態３に係る視覚障害者誘導用ブロックの平面図である。
【発明を実施するための形態】
【００１６】
以下に本発明の実施形態を説明する。
【００１７】
［実施形態１］
（視覚障害者誘導用ブロックの構成）
図１は、視覚障害者誘導用ブロック１００の斜視図である。また、図２Ａは、視覚障害者誘導用ブロック１００の平面図、図２Ｂは、視覚障害者誘導用ブロック１００の側面図である。図に示すように、視覚障害者誘導用ブロック１００は、表面１０１に線状の突起１２２が形成されており、視覚障害者の誘導用として路面に敷設されるものである。視覚障害者誘導用ブロック１００は、たとえば３００ｍｍ×３００ｍｍの正方形プレート型に形成されている。視覚障害者誘導用ブロック１００は、基層１１０、表層１２０および端部材１３０を有している。
【００１８】
基層１１０は、コンクリートまたはモルタルにより形成され、路面に敷設されたときに下側に位置する層である。また、表層１２０は、モルタルにより形成され、路面に敷設されたときに表面側となる層である。表層１２０は、表面１２１に線状の突起１２２を有している。表層１２０は、顔料を含み着色されている。なお、表層１２０と基層１１０とは完全に区分できず境界付近では両者が混ざり合っている。
【００１９】
誘導用の視覚障害者誘導用ブロック１００には、端部材１３０が表面１０１の対向する二辺のそれぞれに埋設されている。これにより、たとえば誘導方向と端部材１３０が設けられた二辺を平行にして敷設すれば、弱視者の誘導に有効である。表面１０１は、その端部にだけ色の異なるラインが入る形態となる。端部材１３０はモルタルからなり、コンクリートやモルタルからなる本体部分と一体に接合されている。本体部分は端部材１３０以外の部分であり、基層１１０および表層１２０である。
【００２０】
端部材１３０は、モルタルの表層１２０の領域を超える高さを有していてもよく、視覚障害者誘導用ブロック１００の厚さ全体分高さを有していてもよい。端部材１３０は表層１２０の領域を超えない程度に低くてもよい。
【００２１】
端部材１３０の幅は特に限定されないが、弱視者が歩行中に十分に認識できる程度であればよい。現実的には端部材１３０の幅は、５ｍｍ以上が好ましい。視覚障害者誘導用ブロック１００の表面１０１は、表層１２０の表面１２１と端部材１３０の露出面１３１により構成されている。なお、視覚障害者誘導用ブロック１００の表面１０１の端の部分には２ｍｍ程度のテーパーが形成されており角が欠損を防止するとともに、見た目の印象を向上させている。
【００２２】
視覚障害者誘導用ブロック１００では、表面１０１の中央部（表層１２０の表面１２１）と端部材１３０の露出面１３１との輝度比が１．５以上である。表面１０１の中央部と端部との輝度比が１．５以上であるため、路面に敷設されたとき、弱視者は歩道の方向を容易に認識することができる。また、単一の視覚障害者誘導用ブロック１００に周囲との表面の輝度比が１．５以上となる端部材１３０が埋設されているため、敷設の設計や作業が容易になる。なお、輝度比は２．０以上であればさらに好ましい。
【００２３】
輝度とは、対象の明るさを表し、単位面積当たり、単位立体角当たりの放射エネルギー（発散する光の量）を比視感度（電磁波の波長毎に異なる感度）で計測したものである。輝度はＪＩＳ  Ｚ９１１１に基づき色彩輝度計により計測可能で単位はｃｄ／ｍ２（カンデラ毎平方メートル）である。輝度比は、輝度が大き方を除算することで求められる。通常、視覚障害者誘導用ブロック１００の方が、輝度が大きいため、（視覚障害者誘導用ブロックの輝度）／（舗装路面の輝度）として算出される。ただし、舗装路面の輝度の方が大きい場合には上記の逆数となる。たとえば、視覚障害者誘導用ブロック１００の表面の色を黄色とし、周囲の舗装路面の色をグレー系統とすることが好ましい。グレー系統の顔料は安価であるためコスト低減にも有効である。
【００２４】
（視覚障害者誘導用ブロックの製造方法）
次に、視覚障害者誘導用ブロック１００の製造方法を説明する。このようなコンクリートブロックの製造方法には、表打ちと裏打ちとがある。しかし、表打ちの場合には端部材１３０を設置する位置が圧力と振動の影響を大きく受けるため、技術的に製造が困難であり、裏打ちが適している。以下では裏打ちによる製造方法を説明する。
【００２５】
図３Ａおよび図３Ｂは、視覚障害者誘導用ブロック１００の製造工程における一場面を示す図である。まず、鉄板１４０上に型枠１５０を設置し、型枠１５０の底にゴム型１４５を設置する。ゴム型１４５には、視覚障害者誘導用ブロック１００の突起１２２の型が形成されている。そして、型枠１５０の底となるゴム型１４５の端部に端部材１３０を設置する。
【００２６】
次に、端部材１３０に対して輝度比１．５以上に着色されたモルタル１７１を流し込む。たとえば柄杓のようなもので、流動性の高いモルタルを流し込むことができる。その後、機械供給等でスランプの小さいコンクリート１７２を基層として充填する。なお、基層として流し込むのはモルタルであってもよい。そして、型枠１５０内に流し込まれたモルタルをプレスし、締め固める。
【００２７】
その後、すぐにプレス板１６０で押さえながら型枠１５０を上方に引き抜き、成形されたブロックをそのまま養生室へ運び、図３Ｂに示すように、側面を視覚障害者誘導用ブロック１００を下にして立てた状態で所定の期間、養生することで、視覚障害者誘導用ブロック１００が完成する。このように裏打ちで製造するため、作業者が表層１２０の隅の部分に端部材１３０のような棒状体を入れておくことは容易である。
【００２８】
なお、上記の例では、端部材１３０の幅が小さいため、線状の突起１２２とは重ならないが、端部材１３０が線状の突起１２２に重なって設けられていてもよい。図４は、端部材１３０が線状の突起１２２に重なっている視覚障害者誘導用ブロック２００の平面図である。線状の突起１２２の位置はＪＩＳにより決められているが、上記のようにして端部材１３０の範囲を広げることが可能であり、これにより輝度比の差を分かり易くすることができる。なお、上記の例以外でも色を変えたい部分に板状の部材を入れておいて、その部材とは別色のモルタルの流し込みを行うこともできる。
【００２９】
［実施形態２］
（端部材の変形例）
上記の実施形態のように、端部材１３０には、モルタルやコンクリートとの接着性の良好な材料としてコンクリートやモルタルを使用することが好ましい。しかし、接着性の低い材料からなる端部材を用いる場合には、露出面１３１の裏面または本体側の側面に、凹凸が形成されていることが好ましい。図５Ａ、図５Ｂは、それぞれ露出面２３１ａ、２３１ｂの裏面に、凹凸が形成された端部材２３０ａおよび２３０ｂの斜視図である。また、図５Ｃ、図５Ｄは、それぞれ露出面２３１ｃ、２３１ｄの本体側の側面に、凹凸が形成された端部材２３０ｃおよび２３０ｄの斜視図である。
【００３０】
端部材２３０ａ〜２３０ｄの材質は、接着性を考慮すればモルタルやコンクリートがよいが、プラスチック、金属、樹脂、ガラスでもよい。ただし、これらの材料は接着性が小さいため、端部材２３０ａ、２３０ｂの裏に突起２３５ａ、２３５ｂを設けたものを用いるのが好ましい。あるいは、端部材２３０ｃ、２３０ｄの本体側の側面に突起２３５ｃ、２３５ｄを設けたものを用いるのが好ましい。端部材２３０ｃ、２３０ｄでは、露出面２３１ｃ、２３１ｄより深く表層モルタル内部に埋もれるように突起２３５ｃ、２３５ｄが設けられている。このように裏または本体側の側面に突起２３５ａ〜２３５ｄを有することにより、端部材２３０ａ〜２３０ｄが剥がれるのを防止できる。
【００３１】
［実施形態３］
（点字上の突起）
上記の実施形態の視覚障害者誘導用ブロック１００は線状の突起を１２２有しているが、視覚障害者誘導用ブロックは点状の突起を有していてもよい。図６Ａ、図６Ｂおよび図６Ｃは、点状の突起を有する視覚障害者誘導用ブロック３００の平面図である。図に示すように、視覚障害者誘導用ブロック３００は、正方形の表面３０１に点状の突起３２２が形成されており、視覚障害者の警告用として路面に敷設される。視覚障害者誘導用ブロック３００は、たとえば、誘導路の曲がり角や車道と歩道の境などに設置される。基層（図示せず）や表層３２０の材質は視覚障害者誘導用ブロック１００と同様である。
【００３２】
視覚障害者誘導用ブロック３００には、端部材１３０が表面の対向する二辺のそれぞれに埋設されているパターン（図６Ａ）以外にも、一方の辺にのみ埋設されているパターン（図６Ｂ）や隣り合う２辺に埋設されているパターン（図６Ｃ）も存在する。視覚障害者誘導用ブロック３００に埋設される端部材１３０の形態は、視覚障害者誘導用ブロック１００に埋設されるものと同様である。
【００３３】
視覚障害者誘導用ブロック３００では、表面３０１の中央部（表層３２０の表面３２１）と端部材１３０の露出面１３１との輝度比が１．５以上である。輝度比は、２．０以上であればさらに好ましい。このように端部材１３０は、表面３０１の少なくとも一辺に、露出面１３１を外部に露出して埋設されている。なお、以上の実施形態では、視覚障害者誘導用ブロックは正方形の表面を有しているが、長方形や台形であってもよい。
【符号の説明】
【００３４】
１００  視覚障害者誘導用ブロック
１０１  表面
１１０  基層
１２０  表層
１２１  表層の表面
１２２  突起
１３０  端部材
１３１  露出面
１４０  鉄板
１４５  ゴム型
１５０  型枠
１７１  モルタル
１７２  コンクリート
２００  視覚障害者誘導用ブロック
２３０ａ〜２３０ｄ  端部材
２３１ａ〜２３１ｄ  端部材の露出面
２３５ａ〜２３５ｄ  端部材の突起
３００  視覚障害者誘導用ブロック
３０１  表面
３２０  表層
３２１  表層の表面
３２２  突起
【図１】
2010236256.tif 000003
【図２Ａ】
2010236256.tif 000004
【図２Ｂ】
2010236256.tif 000005
【図３Ａ】
2010236256.tif 000006
【図３Ｂ】
2010236256.tif 000007
【図４】
2010236256.tif 000008
【図５Ａ】
2010236256.tif 000009
【図５Ｂ】
2010236256.tif 000010
【図５Ｃ】
2010236256.tif 000011
【図５Ｄ】
2010236256.tif 000012
【図６Ａ】
2010236256.tif 000013
【図６Ｂ】
2010236256.tif 000014
【図６Ｃ】
2010236256.tif 000015